(57)【要約】      （修正有）【課題】胴体への蓋体の固定を確実に行うことができるドラム缶の蓋の締付構造を提供する。【解決手段】ドラム缶の胴体１の開口の縁２に外径側への突出部３が設けられ、突出部３の外周面は外径側に伸びて下方に回り込む弧状を成す。開口を塞ぐ蓋体１１は、開口に被せられた際に、蓋体１１の周縁部１３が、突出部３の上面３ａを覆う。蓋体１１の周縁部１３の上面１３ａに接する上鍔部２１と、突出部３の下面３ｂに接する下鍔部２２とを有する締付部材２０を、外径側から宛がい締付けて、突出部３と周縁部１３とを密着させる。このとき、締付部材２０は、その両端に保持部材３１を有して、保持部材３１の挿通部３１ａにボルト軸３２を挿通して、ボルト軸３２で保持部材３１同士を引き寄せる。ボルト軸３２の軸心ｃが、下鍔部２２と突出部３の下面３ｂとの接触位置以上の高さになっている。【選択図】図１
0003159446.tif 000002
【実用新案登録請求の範囲】
【請求項１】
ドラム缶の胴体（１）の開口の縁（２）に外径側への突出部（３）が全周に設けられ、その突出部（３）の外周面は前記開口の縁（２）から外径側に伸びて下方に回り込む形状を成し、前記開口を塞ぐ蓋体（１１）は、前記開口に被せられた際に、その蓋体（１１）の周縁部（１３）が、少なくとも前記突出部（３）の上面（３ａ）を覆うようになっており、
基部（２４）から内径側に突出する上鍔部（２１）と下鍔部（２２）とを有し、前記基部（２４）が前記突出部（３）の外周に沿うように周方向へ伸びてその両端に保持部材（３１）を有する締付部材（２０）を用い、前記保持部材（３１）は、環状の挿通部（３１ａ）を有しており、前記締付部材（２０）を、前記蓋体（１１）の周縁部（１３）の上面（１３ａ）に前記上鍔部（２１）が、前記突出部（３）の下面（３ｂ）に前記下鍔部（２２）が接するように周方向に沿って外径側から宛がい、前記挿通部（３１ａ）にボルト軸（３２）を挿通して、そのボルト軸（３２）で前記保持部材（３１）同士を引き寄せることにより、その締付部材（２０）を内径側に締付けて、前記突出部（３）と前記周縁部（１３）とを密着させて前記胴体（１）に前記蓋体（１１）を固定するドラム缶の蓋の締付構造において、
前記挿通部（３１ａ）は、前記基部（２４）から下方又は側方に伸びる板状の延長部材（３４）を曲げて環状に形成されており、前記ドラム缶の開口を上向きにした状態で、前記挿通部（３１ａ）の上端内面（ａ）が、前記下鍔部（２２）と前記突出部（３）の下面（３ｂ）との接触位置（ｄ）直下における前記下鍔部（２２）の下面（ｅ）以上の高さになっていることを特徴とするドラム缶の蓋の締付構造。
【請求項２】
ドラム缶の胴体（１）の開口の縁（２）に外径側への突出部（３）が全周に設けられ、その突出部（３）の外周面は前記開口の縁（２）から外径側に伸びて下方に回り込む形状を成し、前記開口を塞ぐ蓋体（１１）は、前記開口に被せられた際に、その蓋体（１１）の周縁部（１３）が、少なくとも前記突出部（３）の上面（３ａ）を覆うようになっており、
基部（２４）から内径側に突出する上鍔部（２１）と下鍔部（２２）とを有し、前記基部（２４）が前記突出部（３）の外周に沿うように周方向へ伸びてその両端に保持部材（３１）を有する締付部材（２０）を用い、前記保持部材（３１）は、環状の挿通部（３１ａ）を有しており、前記締付部材（２０）を、前記蓋体（１１）の周縁部（１３）の上面（１３ａ）に前記上鍔部（２１）が、前記突出部（３）の下面（３ｂ）に前記下鍔部（２２）が接するように周方向に沿って外径側から宛がい、前記挿通部（３１ａ）にボルト軸（３２）を挿通して、そのボルト軸（３２）で前記保持部材（３１）同士を引き寄せることにより、その締付部材（２０）を内径側に締付けて、前記突出部（３）と前記周縁部（１３）とを密着させて前記胴体（１）に前記蓋体（１１）を固定するドラム缶の蓋の締付構造において、
前記挿通部（３１ａ）は、前記基部（２４）から下方又は側方に伸びる板状の延長部材（３４）を曲げて環状に形成されており、前記ドラム缶の開口を上向きにした状態で、前記挿通部（３１ａ）の上端外面（ｂ）が、前記下鍔部（２２）と前記突出部（３）の下面（３ｂ）との接触位置（ｄ）直下における前記下鍔部（２２）の下面（ｅ）以上の高さになっていることを特徴とするドラム缶の蓋の締付構造。
【請求項３】
ドラム缶の胴体（１）の開口の縁（２）に外径側への突出部（３）が全周に設けられ、その突出部（３）の外周面は前記開口の縁（２）から外径側に伸びて下方に回り込む形状を成し、前記開口を塞ぐ蓋体（１１）は、前記開口に被せられた際に、その蓋体（１１）の周縁部（１３）が、少なくとも前記突出部（３）の上面（３ａ）を覆うようになっており、
基部（２４）から内径側に突出する上鍔部（２１）と下鍔部（２２）とを有し、前記基部（２４）が前記突出部（３）の外周に沿うように周方向へ伸びてその両端に保持部材（３１）を有する締付部材（２０）を用い、前記保持部材（３１）は、環状の挿通部（３１ａ）を有しており、前記締付部材（２０）を、前記蓋体（１１）の周縁部（１３）の上面（１３ａ）に前記上鍔部（２１）が、前記突出部（３）の下面（３ｂ）に前記下鍔部（２２）が接するように周方向に沿って外径側から宛がい、前記挿通部（３１ａ）にボルト軸（３２）を挿通して、そのボルト軸（３２）で前記保持部材（３１）同士を引き寄せることにより、その締付部材（２０）を内径側に締付けて、前記突出部（３）と前記周縁部（１３）とを密着させて前記胴体（１）に前記蓋体（１１）を固定するドラム缶の蓋の締付構造において、
前記挿通部（３１ａ）は、前記基部（２４）から下方又は側方に伸びる板状の延長部材（３４）を曲げて環状に形成されており、前記ドラム缶の開口を上向きにした状態で、前記ボルト軸（３２）の軸心（ｃ）が、前記下鍔部（２２）と前記突出部（３）の下面（３ｂ）との接触位置（ｄ）直下における前記下鍔部（２２）の下面（ｅ）以上の高さになっていることを特徴とするドラム缶の蓋の締付構造。
【請求項４】
ドラム缶の胴体（１）の開口の縁（２）に外径側への突出部（３）が全周に設けられ、その突出部（３）の外周面は前記開口の縁（２）から外径側に伸びて下方に回り込む形状を成し、前記開口を塞ぐ蓋体（１１）は、前記開口に被せられた際に、その蓋体（１１）の周縁部（１３）が、少なくとも前記突出部（３）の上面（３ａ）を覆うようになっており、
基部（２４）から内径側に突出する上鍔部（２１）と下鍔部（２２）とを有し、前記基部（２４）が前記突出部（３）の外周に沿うように周方向へ伸びてその両端に保持部材（３１）を有する締付部材（２０）を用い、前記保持部材（３１）は、環状の挿通部（３１ａ）を有しており、前記締付部材（２０）を、前記蓋体（１１）の周縁部（１３）の上面（１３ａ）に前記上鍔部（２１）が、前記突出部（３）の下面（３ｂ）に前記下鍔部（２２）が接するように周方向に沿って外径側から宛がい、前記挿通部（３１ａ）にボルト軸（３２）を挿通して、そのボルト軸（３２）で前記保持部材（３１）同士を引き寄せることにより、その締付部材（２０）を内径側に締付けて、前記突出部（３）と前記周縁部（１３）とを密着させて前記胴体（１）に前記蓋体（１１）を固定するドラム缶の蓋の締付構造において、
前記挿通部（３１ａ）は、前記基部（２４）から下方又は側方に伸びる板状の延長部材（３４）を曲げて環状に形成されており、前記ドラム缶の開口を上向きにした状態で、前記挿通部（３１ａ）の上端内面（ａ）が、前記下鍔部（２２）と前記突出部（３）の下面（３ｂ）との接触位置（ｄ）以上の高さになっていることを特徴とするドラム缶の蓋の締付構造。
【請求項５】
ドラム缶の胴体（１）の開口の縁（２）に外径側への突出部（３）が全周に設けられ、その突出部（３）の外周面は前記開口の縁（２）から外径側に伸びて下方に回り込む形状を成し、前記開口を塞ぐ蓋体（１１）は、前記開口に被せられた際に、その蓋体（１１）の周縁部（１３）が、少なくとも前記突出部（３）の上面（３ａ）を覆うようになっており、
基部（２４）から内径側に突出する上鍔部（２１）と下鍔部（２２）とを有し、前記基部（２４）が前記突出部（３）の外周に沿うように周方向へ伸びてその両端に保持部材（３１）を有する締付部材（２０）を用い、前記保持部材（３１）は、環状の挿通部（３１ａ）を有しており、前記締付部材（２０）を、前記蓋体（１１）の周縁部（１３）の上面（１３ａ）に前記上鍔部（２１）が、前記突出部（３）の下面（３ｂ）に前記下鍔部（２２）が接するように周方向に沿って外径側から宛がい、前記挿通部（３１ａ）にボルト軸（３２）を挿通して、そのボルト軸（３２）で前記保持部材（３１）同士を引き寄せることにより、その締付部材（２０）を内径側に締付けて、前記突出部（３）と前記周縁部（１３）とを密着させて前記胴体（１）に前記蓋体（１１）を固定するドラム缶の蓋の締付構造において、
前記挿通部（３１ａ）は、前記基部（２４）から下方又は側方に伸びる板状の延長部材（３４）を曲げて環状に形成されており、前記ドラム缶の開口を上向きにした状態で、前記挿通部（３１ａ）の上端外面（ｂ）が、前記下鍔部（２２）と前記突出部（３）の下面（３ｂ）との接触位置（ｄ）以上の高さになっていることを特徴とするドラム缶の蓋の締付構造。
【請求項６】
ドラム缶の胴体（１）の開口の縁（２）に外径側への突出部（３）が全周に設けられ、その突出部（３）の外周面は前記開口の縁（２）から外径側に伸びて下方に回り込む形状を成し、前記開口を塞ぐ蓋体（１１）は、前記開口に被せられた際に、その蓋体（１１）の周縁部（１３）が、少なくとも前記突出部（３）の上面（３ａ）を覆うようになっており、
基部（２４）から内径側に突出する上鍔部（２１）と下鍔部（２２）とを有し、前記基部（２４）が前記突出部（３）の外周に沿うように周方向へ伸びてその両端に保持部材（３１）を有する締付部材（２０）を用い、前記保持部材（３１）は、環状の挿通部（３１ａ）を有しており、前記締付部材（２０）を、前記蓋体（１１）の周縁部（１３）の上面（１３ａ）に前記上鍔部（２１）が、前記突出部（３）の下面（３ｂ）に前記下鍔部（２２）が接するように周方向に沿って外径側から宛がい、前記挿通部（３１ａ）にボルト軸（３２）を挿通して、そのボルト軸（３２）で前記保持部材（３１）同士を引き寄せることにより、その締付部材（２０）を内径側に締付けて、前記突出部（３）と前記周縁部（１３）とを密着させて前記胴体（１）に前記蓋体（１１）を固定するドラム缶の蓋の締付構造において、
前記挿通部（３１ａ）は、前記基部（２４）から下方又は側方に伸びる板状の延長部材（３４）を曲げて環状に形成されており、前記ドラム缶の開口を上向きにした状態で、前記ボルト軸（３２）の軸心（ｃ）が、前記下鍔部（２２）と前記突出部（３）の下面（３ｂ）との接触位置（ｄ）以上の高さになっていることを特徴とするドラム缶の蓋の締付構造。
【請求項７】
請求項１乃至６のいずれか一つに記載のドラム缶の蓋の締付構造に使用するドラム缶用締付けバンドであって、
基部（２４）から内径側に突出する上鍔部（２１）と下鍔部（２２）とを有し、前記基部（２４）が、前記ドラム缶の前記突出部（３）の外周に沿うように周方向へ伸びてその両端に保持部材（３１）を有し、前記保持部材（３１）は、環状の挿通部（３１ａ）を有し、前記蓋体（１１）の周縁部（１３）の上面（１３ａ）に前記上鍔部（２１）が、前記突出部（３）の下面（３ｂ）に前記下鍔部（２２）が接するように周方向に沿って外径側から宛がい、前記挿通部（３１ａ）にボルト軸（３２）を挿通して、そのボルト軸（３２）で前記保持部材（３１）同士を引き寄せることにより、その締付部材（２０）を内径側に締付けて、前記突出部（３）と前記周縁部（１３）とを密着させて前記胴体（１）に前記蓋体（１１）を固定するようになっており、前記挿通部（３１ａ）は、前記基部（２４）から下方又は側方に伸びる板状の延長部材（３４）を曲げて環状に形成されていることを特徴とするドラム缶用締付けバンド。
【考案の詳細な説明】
【技術分野】
【０００１】
この考案は、ドラム缶の開口に蓋体（天蓋）を固定するための蓋の締付構造、及び、その締付構造に使用するドラム缶用締付バンドに関するものである。
【背景技術】
【０００２】
ドラム缶に物品を入れて輸送、保管等する場合、胴体に蓋体（天蓋）を着脱可能にしたオープンドラム缶が用いられる。このオープンドラム缶には、比較的大型（例えば、２００リットル）の一般的なドラム缶のほか、比較的小型（例えば、１８リットル、２０リットル）で、持ち運び用の取手の付いたペール缶など各種の形態がある。
【０００３】
一般的なオープンドラム缶１０は、例えば、本考案の実施形態の説明図である図６（ａ）（ｂ）に示すように、上部に開口を有する筒状の胴体１と、その開口を塞ぐように胴体１に被せられる蓋体１１、胴体１に蓋体１１を固定するために使用するドラム缶用締付バンドとが用いられる。
【０００４】
胴体１の開口の縁２には、外径側への突出部３が全周に亘って設けられている。その突出部３の外周面は、図７に示すように、前記開口の縁２から外径側に伸びて下方に回り込む弧状を成し、全体としてカールと呼ばれる断面円形となっている。
【０００５】
また、前記開口を塞ぐ蓋体１１は、その開口に被せられた際に、蓋体１１の周縁部１３が、少なくとも前記突出部３の上面３ａを覆うようになっている。また、その周縁部１３は、さらに前記突出部３の外面に沿って湾曲して、その縁１３ｃは下向きになっている。
【０００６】
ドラム缶内に物品を入れた後、蓋体１１を胴体１の前記開口に被せ、その蓋体１１の周縁部１３に、外径側から締め輪と呼ばれる締付部材２０を嵌める。
【０００７】
締付部材２０の断面形状は、例えば、図７に示すように、前記蓋体１１の周縁部１３の上面１３ａに接する上鍔部２１と、前記突出部３の下面３ｂに接する下鍔部２２とが基部２４で連結された断面Ｕ字状、あるいは断面Ｖ字状、断面コ字状等を成すものが用いられる。
また、その締付部材２０の全体形状は、前記蓋体１１の周縁部１３に沿って湾曲した形状となっており、その周方向一箇所で両端２３ａ，２３ｂが対向する平面視Ｃ字状を成しているものが一般的である。
【０００８】
締付部材２０の基部２４、及び、上鍔部２１と下鍔部２２とは、図６（ａ）（ｂ）に示すように、前記突出部３の外周に沿うように周方向へ伸びてその両端に保持部材３１を有している。
その保持部材３１は、前記基部２４に溶接固定された板状の延長部材３４で構成され、その延長部材３４が下方に伸びるとともに、適宜の位置で曲げられて環状の挿通部３１ａを形成している。
【０００９】
この締付部材２０を用い、蓋体１１の周縁部１３の上面１３ａに上鍔部２１が、突出部３の下面３ｂに下鍔部２２が接するように、締付部材２０を周方向に沿って外径側から宛がう。
そして、引張手段３０としてボルト軸３２とナット３３とを用い、前記挿通部３１ａにボルト軸３２を挿通してナット３３で締付けることにより、保持部材３１同士を周方向に引き寄せている。この引き寄せにより、締付部材２０は内径側に締付けられて、突出部３と周縁部１３とが密着する。このようにして、胴体１に蓋体１１が固定される。
【００１０】
蓋体１１が固定された後は、適宜、封緘を施して、輸送中あるいは保管中に開封されないようにしている。
【００１１】
なお、引張手段３０の構成としては、締付部材２０の両端２３ａ，２３ｂ間を、レバー操作で締め付けるタイプのものや（例えば、特許文献１，２参照）、ボルト、ナットで締め付けるタイプのもの等がある（例えば、特許文献３，４参照）。
【先行技術文献】
【特許文献】
【００１２】
【特許文献１】特開２０００−１２８２０６号公報
【特許文献２】特開２０００−１６４４８号公報
【特許文献３】特開２００５−１６２２１６号公報
【特許文献４】特開平１１−２５５２５６号公報
【考案の概要】
【考案が解決しようとする課題】
【００１３】
引張手段３０としてボルト軸３２など軸状の部材を使用する場合、横方向、上下方向に多数のドラム缶が並んだ際に、隣りのドラム缶に干渉しないよう、保持部材３１は、締付部材２０の側方及び上方に突出しないよう、仮に突出するとしても、少なくとも大きく突出しないように設けられる。
【００１４】
すなわち、図６、図７及び図８（ａ）に示すように、引張手段３０が、締付部材２０の基部２４の直下に位置するように、保持部材３１が基部２４から下方に延びるように固定されている。
【００１５】
しかし、引張手段３０が基部２４の直下に位置すると、保持部材３１同士を引き寄せた際に締付部材２０に捩れが生じて、図８（ｂ）に鎖線で示すように、引張手段３０が挿通されている挿通部３１ａ側（下方側）が、基部２４側（上方側）よりも相対的に大きく引き寄せられてしまうという問題がある。つまり、図中にｆ４で示す位置が、ｆ３で示す位置よりも相対的に大きく引き寄せられてしまうのである。
このように、締付部材２０に捩れが生じるのは、引張手段３０による保持部材３１に対する引き寄せ力の作用点と、締付部材２０から突出部３への締付け力の作用点とが、上下方向に大きく離れているからである。
【００１６】
このように、挿通部３１ａ側（下方側）が基部２４側（上方側）よりも相対的に大きく引き寄せられると、その引張手段３０による引き寄せ力が、適正に締付部材２０に作用しないこととなる。
このため、突出部３と周縁部１３との密着度合いが不足し、胴体１への蓋体１１の固定が不充分になる事態も考えられる。
【００１７】
そこで、この考案は、胴体への蓋体の固定を確実に行うことができるようにすることを課題とする。
【課題を解決するための手段】
【００１８】
上記の課題を解決するために、この考案は、ドラム缶の胴体の開口の縁に外径側への突出部が全周に設けられ、その突出部の外周面は前記開口の縁から外径側に伸びて下方に回り込む形状を成し、前記開口を塞ぐ蓋体は、前記開口に被せられた際に、その蓋体の周縁部が、少なくとも前記突出部の上面を覆うようになっており、基部から内径側に突出する上鍔部と下鍔部とを有し、前記基部が前記突出部の外周に沿うように周方向へ伸びてその両端に保持部材を有する締付部材を用い、前記保持部材は、環状の挿通部を有しており、前記締付部材を、前記蓋体の周縁部の上面に前記上鍔部が、前記突出部の下面に前記下鍔部が接するように周方向に沿って外径側から宛がい、前記挿通部にボルト軸を挿通して、そのボルト軸で前記保持部材同士を引き寄せることにより、その締付部材を内径側に締付けて、前記突出部と前記周縁部とを密着させて前記胴体に前記蓋体を固定するドラム缶の蓋の締付構造において、前記挿通部は、前記基部から下方又は側方に伸びる板状の延長部材を曲げて環状に形成されており、前記ドラム缶の開口を上向きにした状態で、前記挿通部の上端内面が、前記下鍔部と前記突出部の下面との接触位置直下における前記下鍔部の下面以上の高さになっていることを特徴とするドラム缶の蓋の締付構造を採用した。
【００１９】
多数のドラム缶を並べる際に、保持部材は、隣りのドラム缶に干渉しないよう、その外縁が締付部材よりも突出しないようにしなければならないが、その突出量を多少犠牲にすることで、保持部材の挿通部を上方へ、すなわち、締付部材の基部側へ近づけることができる。
そして、その環状を成す挿通部の上端内面が、前記下鍔部の先端以上の高さになっている構成とすることで、引張手段による保持部材に対する引き寄せ力の作用点と、締付部材から突出部への締付け力の作用点とを近接させ、締付部材に捩れが生じるのを回避することができる。締付部材に捩れが生じなければ、胴体の突出部と蓋体の周縁部との密着度合いが不足することもなく、その胴体への蓋体の固定を確実にできる。
【００２０】
なお、締付部材としては、蓋体の周縁部の上面に接する上鍔部と、突出部の下面に接する下鍔部とを有するもので、その締付部材を内径側に締付けることにより、前記突出部と前記周縁部とを密着させる機能を有するものであれば自由な断面形状であってよい。例えば、断面Ｕ字状、断面Ｖ字状、断面コ字状等を成すものが用いることができる。
【００２１】
また、他の構成として、前記挿通部の上端外面が、前記下鍔部と前記突出部の下面との接触位置直下における前記下鍔部の下面以上の高さになっているのを特徴とするドラム缶の蓋の締付構造を採用することもできる。この構成においても、ボルト軸による保持部材に対する引き寄せ力の作用点と、締付部材から突出部への締付け力の作用点とを近接させ、締付部材に捩れが生じるのを回避し、胴体の突出部と蓋体の周縁部との密着度合いが不足することもなく、その胴体への蓋体の固定を確実にできる。
【００２２】
すなわち、具体的には、ドラム缶の胴体の開口の縁に外径側への突出部が全周に設けられ、その突出部の外周面は前記開口の縁から外径側に伸びて下方に回り込む形状を成し、前記開口を塞ぐ蓋体は、前記開口に被せられた際に、その蓋体の周縁部が、少なくとも前記突出部の上面を覆うようになっており、基部から内径側に突出する上鍔部と下鍔部とを有し、前記基部が前記突出部の外周に沿うように周方向へ伸びてその両端に保持部材を有する締付部材を用い、前記保持部材は、環状の挿通部を有しており、前記締付部材を、前記蓋体の周縁部の上面に前記上鍔部が、前記突出部の下面に前記下鍔部が接するように周方向に沿って外径側から宛がい、前記挿通部にボルト軸を挿通して、そのボルト軸で前記保持部材同士を引き寄せることにより、その締付部材を内径側に締付けて、前記突出部と前記周縁部とを密着させて前記胴体に前記蓋体を固定するドラム缶の蓋の締付構造において、前記挿通部は、前記基部から下方又は側方に伸びる板状の延長部材を曲げて環状に形成されており、前記ドラム缶の開口を上向きにした状態で、前記挿通部の上端外面が、前記下鍔部と前記突出部の下面との接触位置直下における前記下鍔部の下面以上の高さになっていることを特徴とするドラム缶の蓋の締付構造である。
【００２３】
さらに、他の構成として、ボルト軸の軸心が、前記下鍔部と前記突出部の下面との接触位置直下における前記下鍔部の下面以上の高さになっているのを特徴とするドラム缶の蓋の締付構造を採用することもできる。この構成においても、ボルト軸による保持部材に対する引き寄せ力の作用点と、締付部材から突出部への締付け力の作用点とを近接させ、締付部材に捩れが生じるのを回避し、胴体の突出部と蓋体の周縁部との密着度合いが不足することもなく、その胴体への蓋体の固定を確実にできる。
【００２４】
すなわち、具体的には、ドラム缶の胴体の開口の縁に外径側への突出部が全周に設けられ、その突出部の外周面は前記開口の縁から外径側に伸びて下方に回り込む形状を成し、前記開口を塞ぐ蓋体は、前記開口に被せられた際に、その蓋体の周縁部が、少なくとも前記突出部の上面を覆うようになっており、基部から内径側に突出する上鍔部と下鍔部とを有し、前記基部が前記突出部の外周に沿うように周方向へ伸びてその両端に保持部材を有する締付部材を用い、前記保持部材は、環状の挿通部を有しており、前記締付部材を、前記蓋体の周縁部の上面に前記上鍔部が、前記突出部の下面に前記下鍔部が接するように周方向に沿って外径側から宛がい、前記挿通部にボルト軸を挿通して、そのボルト軸で前記保持部材同士を引き寄せることにより、その締付部材を内径側に締付けて、前記突出部と前記周縁部とを密着させて前記胴体に前記蓋体を固定するドラム缶の蓋の締付構造において、前記挿通部は、前記基部から下方又は側方に伸びる板状の延長部材を曲げて環状に形成されており、前記ドラム缶の開口を上向きにした状態で、前記ボルト軸の軸心が、前記下鍔部と前記突出部の下面との接触位置直下における前記下鍔部の下面以上の高さになっていることを特徴とするドラム缶の蓋の締付構造である。
【００２５】
なお、上記の各構成では、前記挿通部の上端内面、前記挿通部の上端外面、前記引張手段として用いているボルト軸の軸心が、それぞれ前記下鍔部と前記突出部の下面との接触位置直下における前記下鍔部の下面以上の高さになっている構成としたが、前記挿通部の上端内面、前記挿通部の上端外面、前記引張手段としてのボルト軸の軸心が、それぞれ前記下鍔部と前記突出部の下面との接触位置以上の高さになっている構成としても、同様の効果を発揮し得る。
【００２６】
すなわち、具体的には、ドラム缶の胴体の開口の縁に外径側への突出部が全周に設けられ、その突出部の外周面は前記開口の縁から外径側に伸びて下方に回り込む形状を成し、前記開口を塞ぐ蓋体は、前記開口に被せられた際に、その蓋体の周縁部が、少なくとも前記突出部の上面を覆うようになっており、基部から内径側に突出する上鍔部と下鍔部とを有し、前記基部が前記突出部の外周に沿うように周方向へ伸びてその両端に保持部材を有する締付部材を用い、前記保持部材は、環状の挿通部を有しており、前記締付部材を、前記蓋体の周縁部の上面に前記上鍔部が、前記突出部の下面に前記下鍔部が接するように周方向に沿って外径側から宛がい、前記挿通部にボルト軸を挿通して、そのボルト軸で前記保持部材同士を引き寄せることにより、その締付部材を内径側に締付けて、前記突出部と前記周縁部とを密着させて前記胴体に前記蓋体を固定するドラム缶の蓋の締付構造において、前記挿通部は、前記基部から下方又は側方に伸びる板状の延長部材を曲げて環状に形成されており、前記ドラム缶の開口を上向きにした状態で、前記挿通部の上端内面が、前記下鍔部と前記突出部の下面との接触位置以上の高さになっていることを特徴とするドラム缶の蓋の締付構造である。
【００２７】
また、ドラム缶の胴体の開口の縁に外径側への突出部が全周に設けられ、その突出部の外周面は前記開口の縁から外径側に伸びて下方に回り込む形状を成し、前記開口を塞ぐ蓋体は、前記開口に被せられた際に、その蓋体の周縁部が、少なくとも前記突出部の上面を覆うようになっており、基部から内径側に突出する上鍔部と下鍔部とを有し、前記基部が前記突出部の外周に沿うように周方向へ伸びてその両端に保持部材を有する締付部材を用い、前記保持部材は、環状の挿通部を有しており、前記締付部材を、前記蓋体の周縁部の上面に前記上鍔部が、前記突出部の下面に前記下鍔部が接するように周方向に沿って外径側から宛がい、前記挿通部にボルト軸を挿通して、そのボルト軸で前記保持部材同士を引き寄せることにより、その締付部材を内径側に締付けて、前記突出部と前記周縁部とを密着させて前記胴体に前記蓋体を固定するドラム缶の蓋の締付構造において、前記挿通部は、前記基部から下方又は側方に伸びる板状の延長部材を曲げて環状に形成されており、前記ドラム缶の開口を上向きにした状態で、前記挿通部の上端外面が、前記下鍔部と前記突出部の下面との接触位置以上の高さになっていることを特徴とするドラム缶の蓋の締付構造である。
【００２８】
さらに、ドラム缶の胴体の開口の縁に外径側への突出部が全周に設けられ、その突出部の外周面は前記開口の縁から外径側に伸びて下方に回り込む形状を成し、前記開口を塞ぐ蓋体は、前記開口に被せられた際に、その蓋体の周縁部が、少なくとも前記突出部の上面を覆うようになっており、基部から内径側に突出する上鍔部と下鍔部とを有し、前記基部が前記突出部の外周に沿うように周方向へ伸びてその両端に保持部材を有する締付部材を用い、前記保持部材は、環状の挿通部を有しており、前記締付部材を、前記蓋体の周縁部の上面に前記上鍔部が、前記突出部の下面に前記下鍔部が接するように周方向に沿って外径側から宛がい、前記挿通部にボルト軸を挿通して、そのボルト軸で前記保持部材同士を引き寄せることにより、その締付部材を内径側に締付けて、前記突出部と前記周縁部とを密着させて前記胴体に前記蓋体を固定するドラム缶の蓋の締付構造において、前記挿通部は、前記基部から下方又は側方に伸びる板状の延長部材を曲げて環状に形成されており、前記ドラム缶の開口を上向きにした状態で、前記ボルト軸の軸心が、前記下鍔部と前記突出部の下面との接触位置以上の高さになっていることを特徴とするドラム缶の蓋の締付構造である。
【００２９】
これらの各構成からなるドラム缶の蓋の締付構造に使用するドラム缶用締付けバンドとして、以下の構成を採用することができる。
【００３０】
その構成は、基部から内径側に突出する上鍔部と下鍔部とを有し、前記基部が、前記ドラム缶の前記突出部の外周に沿うように周方向へ伸びてその両端に保持部材を有し、前記保持部材は、環状の挿通部を有し、前記蓋体の周縁部の上面に前記上鍔部が、前記突出部の下面に前記下鍔部が接するように周方向に沿って外径側から宛がい、前記挿通部にボルト軸を挿通して、そのボルト軸で前記保持部材同士を引き寄せることにより、その締付部材を内径側に締付けて、前記突出部と前記周縁部とを密着させて前記胴体に前記蓋体を固定するようになっており、前記挿通部は、前記基部から下方又は側方に伸びる板状の延長部材を曲げて環状に形成されていることを特徴とするドラム缶用締付けバンドである。
【００３１】
このドラム缶用締付けバンドとしては、前記挿通部の上端内面が前記下鍔部と前記突出部の下面との接触位置直下における前記下鍔部の下面以上の高さになる構成、前記挿通部の上端外面が前記下鍔部と前記突出部の下面との接触位置直下における前記下鍔部の下面以上の高さになる構成、前記引張手段のボルト軸の軸心が前記下鍔部と前記突出部の下面との接触位置直下における前記下鍔部の下面以上の高さになる構成を採用することができる。
あるいは、前記挿通部の上端内面が前記下鍔部と前記突出部の下面との接触位置以上の高さになる構成、前記挿通部の上端外面が前記下鍔部と前記突出部の下面との接触位置以上の高さになる構成、前記引張手段のボルト軸の軸心が前記下鍔部と前記突出部の下面との接触位置以上の高さになる構成を採用することができる。
【考案の効果】
【００３２】
この考案は、保持部材の挿通部を締付部材の基部側へ近づけたので、ボルト軸による保持部材に対する引き寄せ力の作用点と、締付部材から突出部への締付け力の作用点とを近接させ、締付部材に捩れが生じるのを回避し、胴体の突出部と蓋体の周縁部との密着度合いを高め、その胴体への蓋体の固定を確実とし得る。
【図面の簡単な説明】
【００３３】
【図１】（ａ）は第一の実施形態、（ｂ）は第二の実施形態、（ｃ）は第三の実施形態を示す断面図
【図２】（ａ）は第四の実施形態、（ｂ）は第五の実施形態、（ｃ）は第六の実施形態を示す断面図
【図３】（ａ）は締付部材を宛がう前の状態、（ｂ）は締付部材を締付けた後の状態を示す断面図
【図４】（ａ）締付部材の要部斜視図、（ｂ）は同正面図
【図５】締付部材の要部断面図
【図６】（ａ）（ｂ）はオープンドラム缶の斜視図
【図７】従来例の要部拡大断面図
【図８】（ａ）は従来例の締付部材の要部斜視図、（ｂ）は同正面図
【考案を実施するための形態】
【００３４】
この考案の第一の実施形態を、図１乃至図５に基づいて説明する。オープンドラム缶１０を構成する胴体１、蓋体１１の基本的な構成は、従来例と同様である。
【００３５】
すなわち、ドラム缶の断面円形の胴体１の開口の縁２に、外径側への突出部３が全周に設けられている。
この実施形態の突出部３は、図１に示すように、前記開口の縁２を外側に巻き込むことにより形成したカールと呼ばれる断面形状であり、その突出部３の外周面は、前記開口の縁２から外径側に伸びて下方に回り込む弧状を成している。なお、突出部３の断面形状としては、この実施形態のように、その外面が弧状となる断面形状のほか、例えば、断面矩形の突出部３を採用してもよい。
【００３６】
前記開口を塞ぐ蓋体１１は、前記胴体１と同じく金属製であり、その開口に被せられた際に、その中央部１２が前記開口の縁２から若干下方に入り込み、また、その中央部１２の周囲に立ち上がる周縁部１３が、前記突出部３の上面３ａを覆うようになっている。さらに、その周縁部１３は、前記突出部３の外面に沿って湾曲して、前記突出部３の外径面（外径側の側面）を覆うとともに、その周縁部１３の縁１３ｃが下向きになっている。
【００３７】
つぎに、ドラム缶用締付バンドの構成について説明すると、前記蓋体１１の周縁部１３の外周に沿って宛がわれる締付部材２０は金属製であり、その周方向一箇所で両端２３ａ，２３ｂが対向する平面視Ｃ字状を成している。
【００３８】
また、その締付部材２０の断面形状は、図５に示すように、前記蓋体１１の周縁部１３の上面１３ａに接する上鍔部２１と、前記突出部３の下面３ｂに接する下鍔部２２とが弧状の基部２４で連結された断面Ｕ字状である。上鍔部２１と下鍔部２２は、締付部材２０の全長に亘って設けられている。
【００３９】
なお、この実施形態では、前記基部２４は、その上端（上鍔部２１との接続点）から下端（下鍔部２２との接続点）まで外径側に突出する一定曲率の弧状部を成している。図５に示すように、基部２４の半径はＲ３である。
また、この実施形態では、前記上鍔部２１及び前記下鍔部２２は、それぞれ、前記基部２４よりも大きい一定曲率で同方向に湾曲する弧状部（それぞれ半径Ｒ１，Ｒ２）で構成しているが、例えば、この上鍔部２１及び下鍔部２２を真っ直ぐに伸びる直線部で構成してもよい。なお、上鍔部２１の突出長さＬ４は、下鍔部２２の突出長さＬ５よりも長く設定され、その上鍔部２１の先端と下鍔部２２の先端との高低差はＨとなっている。
【００４０】
その締付部材２０の両端２３ａ，２３ｂ間に、前記締付部材２０を内径側に締付ける機能を有する引張手段３０を備えている。
【００４１】
引張手段３０は、前記締付部材２０の両端に設けられた保持部材３１を備えている。その保持部材３１は、前記基部２４に溶接固定された板状の延長部材３４で構成され、その延長部材３４が断面Ｓ字状に湾曲しながら下方に伸びるとともに、適宜の位置で曲げられて環状の挿通部３１ａを形成している。
【００４２】
なお、板状の延長部材３４で構成される保持部材３１を、断面Ｓ字状に湾曲させているのは、前記引張りに耐え得る強度を確保するためであり、また、引張手段３０が外径側へ大きく突出しないようにするためでもある。この保持部材３１は、溶接等により、締付部材２０の外面に面接触した状態に一体に固定される。
【００４３】
この挿通部３１ａに、図４（ａ）に示すように、ボルト軸３２が挿通される。ボルト軸３２は、向かい合う両方の前記挿通部３１ａ，３１ａに挿通可能であり、その先端にナット３３をねじ込まれるようになっている。
このボルト軸３２に対するナット３３のねじ込みにより、前記両端２３ａ，２３ｂの保持部材３１，３１間が近づく方向に引張られ、その締付部材２０を全長に亘って内径側に締付け可能である。
【００４４】
図１（ａ）は、第一の実施形態を示し、引張手段３０によって締付部材２０を締付けて、蓋体１１を胴体１に固定した状態を示す。なお、図３（ａ）は、締付部材２０を締付ける前の状態を示す。
【００４５】
この締付け方法について説明すると、前記締付部材２０は、図３（ａ）の状態から、胴体１の突出部３の外周に宛がわれる。すなわち、上鍔部２１の下面が、前記蓋体１１の周縁部１３の上面１３ａに接するように、また、下鍔部２２の上面が、前記突出部３の下面３ｂに接するように外径側から宛がわれる。
【００４６】
その状態から、前記引張手段３０により、締付部材２０を内径側へ縮径させ、突出部３に締付ける。この締付けにより、前記突出部３と前記周縁部１３とを密着させて前記胴体１に前記蓋体１１を固定する。このとき、締付部材２０は、蓋体１１の周縁部１３の下向きの縁１３ｃが、図３（ｂ）に示すように、その締付部材２０の内面に触れた際に、その締付けを完了するように設定されている。また、突出部３の上面３ａと、周縁部１３の下面１３ｂとの間にパッキン１４を介在させて、密閉度合いが高められている。
【００４７】
この第一の実施形態では、図１（ａ）に示すように、保持部材３１の挿通部３１ａの上端内面ａが、締付部材２０の下鍔部２２と前記突出部３の下面との接触位置ｄ直下における前記下鍔部２２の下面ｅ以上の高さになっている。
【００４８】
すなわち、保持部材３１の挿通部３１ａは、締付部材２０の基部２４に固定された延長部材３４を曲げて環状に形成されているが、ドラム缶の開口を上向きにした状態で締付部材２０を装着した際に、その挿通部３１ａの直上において、延長部材３４の内面ａが、前記下鍔部２２と前記突出部３の下面との接触位置ｄ直下における前記下鍔部２２の下面ｅ以上の高さになっているドラム缶の蓋の締付構造である。
【００４９】
このような位置関係になっていることから、保持部材３１の挿通部３１ａが、図６や図７に示す従来例よりも上方へ、すなわち、締付部材２０の基部２４側へ近づいた状態となっている。
【００５０】
そして、その環状を成す挿通部３１ａの上端内面ａが、前記下鍔部２２と前記突出部３の下面との接触位置ｄ直下における前記下鍔部２２の下面ｅ以上の高さになっていることで、ボルト軸３２による保持部材３１に対する引き寄せ力の作用点と、締付部材から突出部への締付け力の作用点とが、上下方向に近接する。このため、締付部材２０に捩れが生じるのを回避することができる。
【００５１】
すなわち、図４（ｂ）に示すように、締付部材２０の両端２３ａ，２３ｂ付近における基部２４の軸心ｆ同士が、同一直線上に維持されるのである。あるいは、前記両端２３ａ，２３ｂ付近における基部２４の軸心ｆ同士が同一直線上になく、多少の捩れが生じているとしても、その捩れ角αを最小限に抑えることができるのである。
【００５２】
捩れがなく、あるいは捩れ角が最小限に抑えられていれば、保持部材３１は、引張手段３０としてのボルト軸３２が挿通されている挿通部３１ａ側（下方側）が、基部２４側（上方側）よりも相対的に大きく引き寄せられてしまうという問題が生じにくい。図４（ｂ）に矢印ｆ１で示す位置と、矢印ｆ２で示す位置との引き寄せ量が、ほぼ同一となるからである。
このため、胴体の突出部と蓋体の周縁部との密着度合いが不足することもなく、その胴体への蓋体の固定を確実にできる。
【００５３】
図１（ｂ）は、第二の実施形態を示す。この実施形態は、ドラム缶の開口を上向きにした状態で締付部材２０を装着した際に、その挿通部３１ａの直上において、延長部材３４の外面ｂが、前記下鍔部２２と前記突出部３の下面との接触位置ｄ直下における前記下鍔部２２の下面ｅ以上の高さになっているドラム缶の蓋の締付構造である。第一の実施形態と比較すると、延長部材３４の板厚に相当する高さだけ、挿通部３１ａがさらに上方に位置している。
【００５４】
このため、締付部材２０の捩れをさらに確実に抑えることができる。すなわち、保持部材３１が、引張手段３０としてのボルト軸３２が挿通されている挿通部３１ａ側（下方側）が、基部２４側（上方側）よりも相対的に大きく引き寄せられてしまうという問題を、さらに確実に回避することができる。
【００５５】
図１（ｃ）は、第三の実施形態を示す。この実施形態は、ドラム缶の開口を上向きにした状態で締付部材２０を装着した際に、その挿通部３１ａの直上において、前記ボルト軸３２の軸心ｃが、前記下鍔部２２と前記突出部３の下面との接触位置ｄ直下における前記下鍔部２２の下面ｅ以上の高さになっているドラム缶の蓋の締付構造である。第一の実施形態、第二の実施形態と比較すると、挿通部３１ａがさらに上方に位置している。このため、締付部材２０の捩れ防止の効果は、さらに高くなる。
【００５６】
図２（ａ）は、第四の実施形態を示す。この実施形態は、ドラム缶の開口を上向きにした状態で締付部材２０を装着した際に、前記挿通部３１ａの上端内面ａが、前記下鍔部２２と前記突出部３の下面３ｂとの接触位置ｄ以上の高さになっているドラム缶の蓋の締付構造である。
【００５７】
さらに、図２（ｂ）は、第五の実施形態を示す。この実施形態は、ドラム缶の開口を上向きにした状態で締付部材２０を装着した際に、前記挿通部３１ａの上端外面ｂが、前記下鍔部２２と前記突出部３の下面３ｂとの接触位置ｄ以上の高さになっているドラム缶の蓋の締付構造である。
【００５８】
さらに、図２（ｃ）は、第六の実施形態を示す。この実施形態は、ドラム缶の開口を上向きにした状態で締付部材２０を装着した際に、前記ボルト軸３２の軸心ｃが、前記下鍔部２２と前記突出部３の下面３ｂとの接触位置ｄ以上の高さになっているドラム缶の蓋の締付構造である。
【００５９】
なお、この第六の実施形態及び前記第三の実施形態では、前記ボルト軸３２の軸心ｃと、その内面が断面円形を成す前記挿通部３１ａの軸心が一致している状態を想定しているが、
前記ボルト軸３２の軸心ｃと、前記挿通部３１ａの軸心とが一致していない態様（ボルト軸３２の外面と挿通部３１ａの内面との間に隙間を介在した状態で、ボルト軸３２が挿通されている態様において、このようなケースが想定される）においては、上記のように、前記ボルト軸３２の軸心ｃが、前記下鍔部２２の先端２２ｃにおける最下端位置ｅ以上の高さとなっている構成、前記下鍔部２２と前記突出部３の下面３ｂとの接触位置ｄ以上の高さとなっている構成を採用できるほかに、例えば、その挿通部３１ａの軸心が、前記下鍔部２２の先端２２ｃにおける最下端位置ｅ以上の高さとなっている構成、あるいは、前記下鍔部２２と前記突出部３の下面３ｂとの接触位置ｄ以上の高さになっている構成においても、所定の効果を発揮し得る。
【００６０】
また、これらの各実施形態では、締付部材２０の断面形状は、前記蓋体１１の周縁部１３の上面１３ａに接する上鍔部２１と、前記突出部３の下面３ｂに接する下鍔部２２とが基部２４で連結された断面Ｕ字状としたが、この実施形態以外にも、基部２４に屈曲部を設けた断面Ｖ字状、あるいは断面コ字状等を成すものを採用することができる。
【符号の説明】
【００６１】
１  胴体
２  縁（開口の縁）
３  突出部
３ａ  上面
３ｂ  下面
１１  蓋体
１２  中央部
１３  周縁部
１３ｂ  下面
１３ｃ  縁
１４  パッキン
２０  締付部材
２１  上鍔部
２２  下鍔部
２２ｃ  先端
２３ａ，２３ｂ  端（両端）
２４  基部
３０  引張手段
３１  保持部材
３１ａ  挿通部
３２  ボルト軸
３３  ナット
【図１】
0003159446.tif 000003
【図２】
0003159446.tif 000004
【図３】
0003159446.tif 000005
【図４】
0003159446.tif 000006
【図５】
0003159446.tif 000007
【図６】
0003159446.tif 000008
【図７】
0003159446.tif 000009
【図８】
0003159446.tif 000010